(57)【要約】      （修正有）【課題】浴室用品を収納するラック構造を提供する。【解決手段】ラック構造はラック本体１０と、少なくとも２つの位置決め部品２０とを含む。位置決め部品２０は、接続ヘッド２１と、ネジ２２と、エンドカバー２３とが組み合わせられて構成される。その中、ラック本体１０はバスケット１１の形で、後方に物掛け棒１２を設け、バスケット１１の横側に下に伸びる張り出し棒を設置するか、またはバスケット１１の下にもう一つの収納空間を設置できる。接続ヘッド２１には第一端と、絞りの第二端があり、該第二端には外向きネジ山の接合区間を設け、側端中央が周縁と相対する二箇所に水平に挿入切口２１４を設け、挿入切口２１４の末端にネジ穴を設け、該ネジ穴は第一端へ貫通する。エンドカバー２３の側端はスリーブが内向けにあり、スリーブの内側にはネジ山状の接合部分を設ける。【選択図】図１
0003199041.tif 000002
【実用新案登録請求の範囲】
【請求項１】
浴室用品を収納するラック構造であって、
該浴室用品を収納するラック構造は、ラック本体と、少なくとも２つの位置決め部品とを含み、
該位置決め部品は、接続ヘッドと、ネジと、エンドカバーとが組み合わされて構成され、ラック本体の後方に物掛け棒が設けられ、接続ヘッドは第一端と第二端を有し、該第二端には接合区間が設けられ、エンドカバーの側端にはスリーブが内向きになり、スリーブの内側には接合部分が設けられ、
接続ヘッドの第二端の中央が周縁と相対する二箇所に水平に挿入切口が設けられ、挿入切口の末端にネジ穴が設けられ、該ネジ穴は第一端へ貫通し、
上述の構造により、ネジが接続ヘッドのネジ穴に挿し込まれて、壁に固定され、ネジの締め付けによって、接続ヘッドは第一端が壁に密着する状態となり、ネジと壁の間に挟まれて固定され、
かつ、ラック本体は物掛け棒によって水平に接続ヘッドの挿入切口へ滑り込むため、接続ヘッドと嵌合し、エンドカバーが接合区間と接合部分の組み合わせによって、接続ヘッドの第二端に接続された時、ラック本体は接続ヘッドとエンドカバーによって挟まれて固定され、エンドカバーの遮断により、ネジが露出しない上、エンドカバーの装着によって、挿入切口が閉じられることを特徴とする浴室用品を収納するラック構造。
【請求項２】
ラック本体はバスケットであることを特徴とする請求項１の浴室用品を収納するラック構造。
【請求項３】
ラック本体はバスケットであり、該バスケットの側面には張り出し棒が下へ伸びることを特徴とする請求項１の浴室用品を収納するラック構造。
【請求項４】
ラック本体はバスケットであり、該バスケットの下にはもう一つの収納空間が設けられることを特徴とする請求項１の浴室用品を収納するラック構造。
【請求項５】
ラック本体の物掛け棒が曲げられて、フックになることを特徴とする請求項１の浴室用品を収納するラック構造。
【請求項６】
接続ヘッドは直径が絞られている第二端を有することを特徴とする請求項１の浴室用品を収納するラック構造。
【請求項７】
接合部分と接合区間にはそれぞれ内向きネジ山と外向きネジ山が設けられることを特徴とする請求項１の浴室用品を収納するラック構造。
【請求項８】
ラック本体を取り付ける際、まずは壁に穴を開けてから、プラスチックプラグが差し込まれ、ネジが接続ヘッドのネジ穴に挿し込まれ、更にプラスチックプラグに締め付けられることを特徴とする請求項１の浴室用品を収納するラック構造。
【考案の詳細な説明】
【技術分野】
【０００１】
本考案は、浴室用品を収納するラック構造に関し、特にバスグッズの収納を提供するラック構造に関する。
【背景技術】
【０００２】
現在における従来の浴室用品を収納するラック構造の多くはラックの本体にネジ穴を予め設け、ネジはそのネジ穴を通して、壁に取り付けることによって、そのラックが壁に固定され、各種バスグッズの収納を提供するラックであるため、壁の空間を有効に利用できる。
【０００３】
しかし、上述のような従来構造を実際に応用する際には、以下の問題点が存在する。ラックが固定された後、ネジは表側に露出するため、表側に露出するネジは目立ってしまい、美観を損なうことである。
【０００４】
従って、上述のような従来構造に存在する欠点について研究改良することが実に関係業界が努力して研究開発する目標である。本考案者はこれらを鑑み、創作の意が芽生え、長年の経験に基づいて設計し、多方面に探究した上で試作品を制作し、修正改良を重ねた上に本考案を生み出した。
【考案の概要】
【考案が解決しようとする課題】
【０００５】
本考案の課題は、従来の浴室用品を収納するラック構造は固定された後、ネジが露出することを解決することである。
【課題を解決するための手段】
【０００６】
本考案は浴室用品を収納するラック構造を提供する。浴室用品を収納するラック構造は、ラック本体と、少なくとも２つの位置決め部品を含む。該位置決め部品は、接続ヘッドと、ネジとエンドカバーを組み合わせて構成される。その場合、ラック本体はバスケットの形であり、後方に物掛け棒が設けられ、該バスケットの側面に下に伸びる張り出し棒があり、またはバスケットの下にもう一つの収納空間を設置できる。接続ヘッドには第一端と、絞りの第二端があり、該第二端には外向きネジ山の接合区間が設けられ、側端中央が周縁と相対する二箇所に水平に挿入切口が設けられ、挿入切口の末端にネジ穴が設けられ、該ネジ穴は第一端へ貫通する。エンドカバーの側端にはスリーブが内向きにあり、スリーブの内側にはネジ山状の接合部分が設けられ、これで浴室用品を収納するラック構造が得られる。
従来の製品と照らし合わせてみると、以下の利点がある。すなわち、
【０００７】
（一）本考案に係る浴室用品を収納するラック構造によれば、エンドカバーの結合を利用すれば、ネジが隠されて露出しないため、ラック本体の美しさが保たれ、また該エンドカバー自体に装飾効果がある。
【０００８】
（二）本考案に係る浴室用品を収納するラック構造によれば、ラック本体は挿入切口に嵌るため、エンドカバーの装着によって、挿入切口が閉じられる。該挿入切口とエンドカバーとの組み合わせによって、ラック本体は不意に上向けの力によって外れることが避けられる。
【図面の簡単な説明】
【０００９】
【図１】図１は、本考案の浴室用品を収納するラック構造を示す立体組合図である。
【図２】図２は、本考案の浴室用品を収納するラック構造にある位置決め部品の立体分解図である。
【図３】図３は、本考案の浴室用品を収納するラック構造が壁に固定されることを示す断面図である。
【図４】図４は、本考案の浴室用品を収納するラック構造が壁に固定されることを示す立体図である。
【図５】図５は、本考案の浴室用品を収納するラック構造のバスケットに張り出し棒を取り付けた実施例を示す図である。
【図６】図６は、本考案の浴室用品を収納するラック構造のバスケットに収納空間を設けた実施例を示す図である。
【考案を実施するための形態】
【００１０】
まず、図１から図４によって浴室用品を収納するラック構造は、ラック本体（１０）と、少なくとも２つの位置決め部品（２０）を含む。該位置決め部品（２０）は、接続ヘッド（２１）と、ネジ（２２）とエンドカバー（２３）とが組み合わされて構成される。その場合、ラック本体（１０）はバスケット（１１）の形で、後方に物掛け棒（１２）が設けられ、該バスケット（１１）の側面に下に伸びる張り出し棒（１３）があり（同時に図５に示す）、またはバスケット（１１）の下にもう一つの収納空間（１４）を設置できる（同時に図６に示す）。接続ヘッド（２１）には第一端（２１１）と、絞りの第二端（２１２）があり、該第二端（２１２）には外向きネジ山の接合区間（２１３）が設けられ、側端中央が周縁と相対する二箇所に水平に挿入切口（２１４）が設けられ、挿入切口（２１４）の末端にネジ穴（２１５）が設けられ、該ネジ穴（２１５）は第一端（２１１）へ貫通する。エンドカバー（２３）の側端にはスリーブ（２３１）が内向きにあり、スリーブ（２３１）の内側にはネジ山状の接合部分（２３２）が設けられる。
本考案は浴室用品を収納するラック構造を提供する。その場合、物掛け棒（１２）を曲げて、フック（１２１）になることが好ましい。
【００１１】
再び、図３から図６を参照されたい。実際に使用する際、まず壁に穴を開けて、プラスチックプラグ（３０）を挿し込んで、ネジ（２２）が接続ヘッド（２１）のネジ穴（２１５）に挿し込まれ、プラスチックプラグ（３０）に締め付けられる。ネジ（２２）の締め付けによって、接続ヘッド（２１）は第一端（２１１）が壁に密着する状態で、ネジ（２２）と壁の間に挟まれて固定される。またラック本体（１０）は物掛け棒（１２）によって水平に接続ヘッド（２１）の挿入切口（２１４）へと滑り込むため、接続ヘッド（２１）と嵌合する。エンドカバー（２３）が接合区間（２１３）と接合部分（２３２）との組み合わせによって、接続ヘッド（２１）の第二端（２１２）に接続された時、ラック本体（１０）は接続ヘッド（２１）とエンドカバー（２３）によって挟まれて固定される。エンドカバー（２３）の遮断により、ネジ（２２）が露出しない上、エンドカバー（２３）の装着によって、挿入切口（２１４）が閉じられるからである。
【００１２】
上記のような具体的な実施例の構造により、以下の利点がある。（一）エンドカバー（２３）の結合を利用すれば、ネジ（２２）が隠れて露出しないため、ラック本体（１０）の美しさが保たれる。また該エンドカバー（２３）自体に装飾効果がある。（二）ラック本体（１０）は挿入切口（２１４）に嵌るため、エンドカバー（２３）の装着によって、挿入切口（２１４）が閉じられる。該挿入切口（２１４）とエンドカバー（２３）との組み合わせによって、ラック本体（１０）は不意に上向けの力によって外れることが避けられる。
【００１３】
以上は、本考案の良い実施例の一部しか過ぎないため、本考案の実施範囲を制限するものではない。即ち、本実用新案登録請求の範囲内で行われる変化、修飾なども本考案の範囲内に属すべきである。
【符号の説明】
【００１４】
１０        ラック本体
１１        バスケット
１２        物掛け棒
１２１      フック
１３        張り出し棒
１４        収納空間
２０        位置決め部品
２１        接続ヘッド
２１１      第一端
２１２      第二端
２１３      接合区間
２１４      挿入切口
２１５      ネジ穴
２２        ネジ
２３        エンドカバー
２３１      スリーブ
２３２      接合部分
３０        プラスチックプラグ
【図１】
0003199041.tif 000003
【図２】
0003199041.tif 000004
【図３】
0003199041.tif 000005
【図４】
0003199041.tif 000006
【図５】
0003199041.tif 000007
【図６】
0003199041.tif 000008
【手続補正書】
【提出日】平成27年6月8日(2015.6.8)
【手続補正１】
【補正対象書類名】実用新案登録請求の範囲
【補正対象項目名】全文
【補正方法】変更
【補正の内容】
【実用新案登録請求の範囲】
【請求項１】
浴室用品を収納するラック構造であって、
該浴室用品を収納するラック構造は、ラック本体と、少なくとも２つの位置決め部品とを含み、
該位置決め部品は、接続ヘッドと、ネジと、エンドカバーとが組み合わされて構成され、ラック本体の後方に物掛け棒が設けられ、接続ヘッドは第一端と第二端を有し、該第二端には接合区間が設けられ、エンドカバーの側端にはスリーブが内向きになり、スリーブの内側には接合部分が設けられ、
接続ヘッドの第二端の中央が周縁と相対する二箇所に水平に挿入切口が設けられ、挿入切口の末端にネジ穴が設けられ、該ネジ穴は第一端へ貫通し、
上述の構造により、ネジが接続ヘッドのネジ穴に挿し込まれて、壁に固定され、ネジの締め付けによって、接続ヘッドは第一端が壁に密着する状態となり、ネジと壁の間に挟まれて固定され、
かつ、ラック本体は物掛け棒によって水平に接続ヘッドの挿入切口へ滑り込むため、接続ヘッドと嵌合し、エンドカバーが接合区間と接合部分の組み合わせによって、接続ヘッドの第二端に接続された時、ラック本体は接続ヘッドとエンドカバーによって挟まれて固定され、エンドカバーの遮断により、ネジが露出しない上、エンドカバーの装着によって、挿入切口が閉じられることを特徴とする浴室用品を収納するラック構造。
【請求項２】
ラック本体はバスケットであることを特徴とする請求項１の浴室用品を収納するラック構造。
【請求項３】
ラック本体はバスケットであり、該バスケットの側面には張り出し棒が下へ伸びることを特徴とする請求項１の浴室用品を収納するラック構造。
【請求項４】
ラック本体はバスケットであり、該バスケットの下にはもう一つの収納空間が設けられることを特徴とする請求項１の浴室用品を収納するラック構造。
【請求項５】
ラック本体の物掛け棒が曲げられて、フックになることを特徴とする請求項１の浴室用品を収納するラック構造。
【請求項６】
接続ヘッドは直径が絞られている第二端を有することを特徴とする請求項１の浴室用品を収納するラック構造。
【請求項７】
接合部分と接合区間にはそれぞれ内向きネジ山と外向きネジ山が設けられることを特徴とする請求項１の浴室用品を収納するラック構造。